(57)【特許請求の範囲】
【請求項１】
外装部材（３７）に挿通されて表面側に現出する給水管（３９）の端部に接続された水栓本体（４１）が外装部材（３７）の表面側から突出した状態で取り付けられた既設の水栓器具（４０）を取外した後、外装部材（３７）に切欠き部（３７ｂ）を形成し、外装部材（３７）からの突出量を少なくすべく、水を外部に吐出する吐出口（７）や、該吐出口（７）の吐出水量を調整するハンドル（１２）を備えた水栓本体（２）の少なくとも一部を切欠き部（３７ｂ）から外装部材（３７）の裏面側に収容すると共に、該水栓本体（２）を外装部材（３７）の表面側に現出する給水管（３９）の端部に接続してなることを特徴とする水栓器具の施工方法。
【請求項２】
水栓本体（２）および切欠き部（３７ｂ）を覆い隠し且つ吐出口（７）およびハンドル（１２）を表面側に臨出させるカバープレート（３３）を取付けてなる請求項１記載の水栓器具の施工方法。
【請求項３】
前記水栓本体（２）を外装部材（３７）の裏面側に収容する際に、水栓本体（２）が外装部材（３７）と干渉することのない形状で切欠き部（３７ｂ）を形成してなる請求項１又は２記載の水栓器具の施工方法。
【請求項４】
外装部材（３７）の表面側に現出する給水管（３９）の端部に専用シート（５０）を位置決めした後、該専用シート（５０）の外形線に沿って外装部材（３７）を切り込んで切欠き部（３７ｂ）を形成してなる請求項３記載の水栓器具の施工方法。
【請求項５】
専用シート（５０）に形成された穿孔（５０ｅ）を給水管（３９）の中心に置き、前記穿孔（５０ｅ）を中心として放射状に複数の切り込み（５０ｆ，…）が入れられることで、専用シート（５０）に形成された舌片（５０ｇ，…）を折り込んで給水管（３９）の端部の内周面に当接させ、給水官（３９）に対して専用シート（５０）を位置決めしてなる請求項４記載の水栓器具の施工方法。
【発明の詳細な説明】
【０００１】
【発明の属する技術分野】
本発明は、水栓器具の施工方法に関する。
【０００２】
【従来の技術】
従来、水栓器具としては種々のものが提案されており、また、その取付け場所も壁、床等、様々である。そこで、その一例として、壁板に取付ける水栓器具について図８に基づき説明する。
【０００３】
この水栓器具４０は、壁板３７に穿設された開口部３７ａに挿通されて表面側に現出する給水管３９の端部に接続されるもので、該給水管３９の端部の内周面に刻設された雌ネジ３９ａに螺着される水栓本体４１に、給水管３９からの水を外部に吐出する吐出口４２と、該吐出口４２の吐出水量を調整するハンドル４３とを備えた構成からなる。
【０００４】
【発明が解決しようとする課題】
しかしながら、上記水栓器具４０は、水栓本体４１を含めて壁板３７の表面側から突出した状態で取付けられるため、例えば、この水栓器具４０を洗濯機の取水源として利用する場合、乾燥機等の設置時に水栓器具４０が邪魔となり、乾燥機等を壁板３７に接近させて設置することができず、室内空間を有効活用することができないという問題があった。
【０００５】
また、水栓器具４０全体が人目に触れるため、美観を損なわないよう、水栓器具４０全体（特に、水栓本体４１）にデザイン、装飾、メッキ等を施す必要があり、製造コストの低減を図れないという問題もあった。
【０００６】
一方、上記水栓器具４０を取り外してリフォーム（改装工事等）を行なう際に、既設の給水管３９には手を加えず、この給水管３９をそのまま利用することができれば、施工を簡単に行なうことができて、施工コストも低減できる。
【０００７】
そこで、本発明は、上記の如き問題点に鑑みてなされたもので、壁、床等の外装部材からの突出量（出っ張り量）を少なくすることで、室内空間の有効活用を図ることができると共に、リフォームの際の施工を簡単に行なうことができる水栓器具の施工方法を提供することを課題とする。
【０００８】
【課題を解決するための手段】
上記課題を解決するため、本発明に係る水栓器具の施工方法は、外装部材３７に挿通されて表面側に現出する給水管３９の端部に接続された水栓本体４１が外装部材３７の表面側から突出した状態で取り付けられた既設の水栓器具４０を取外した後、外装部材３７に切欠き部３７ｂを形成し、外装部材３７からの突出量を少なくすべく、水を外部に吐出する吐出口７や、該吐出口７の吐出水量を調整するハンドル１２を備えた水栓本体２の少なくとも一部を切欠き部３７ｂから外装部材３７の裏面側に収容すると共に、該水栓本体２を外装部材３７の表面側に現出する給水管３９の端部に接続してなることを特徴とする。
【０００９】
上記構成からなる水栓器具の施工方法によれば、水栓本体２の少なくとも一部が外装部材３７の裏面側に位置する、すなわち、水栓本体２が外装部材３７の裏面側に押し込まれた態様となるので、吐出口７やハンドル１２の外装部材３７からの突出量を押さえて、室内空間の有効活用を図ることができる。その上、既設の給水管３９をそのまま利用することができると共に、室内（外装部材３７の表面側）から施工作業を行なうことができるので、リフォームの際の施工を簡単に行なうことができる。
【００１０】
【発明の実施の形態】
以下、本発明の一実施形態について図面を参酌しつつ説明する。
【００１１】
本実施形態に係る水栓器具１は、図１および図２に示す如く、壁板３７の裏面側に配された給水管３９に継手２０を介して接続される水栓本体２に、給水管３９から供給された水を外部に吐出する吐出口７と、水栓本体２の開閉栓を行なって吐出口７の吐出水量を調整するハンドル１２とを備えている。
【００１２】
前記水栓本体２は、横長にされた略直方体形状の胴部３と、該胴部３の下面の一端位置から正面側に向かって斜下方向に突出する管状の吐出部５と、胴部３の正面の一端位置から前方に突出する雄ネジ部９と、胴部３の下面の他端位置から下方に突出する管状の取水部１７とからなる鋳造品である。
【００１３】
前記胴部３は、内部に空洞を有する中空体からなり、吐出部５および取水部１７がそれぞれ内部を胴部３の内部に連通させて胴体３と一体的に形成されている。従って、取水部１７の内部、胴部３の内部、吐出部５の内部が連通して一つの流路を形成するため、取水部１７内の水道水が胴部３内を経由して吐出部５内に流通し、吐出部５から外部に吐出可能となっている。
【００１４】
前記吐出口７は、真鍮にメッキしたものからなる円筒体であり、吐出部５の端面に当接する大径の鍔部７ａを備え、鍔部７ａよりも基端側の外周面には、雄ネジ（図示せず）が刻設される一方、鍔部７ａよりも先端側は、例えば、ホースの先端に取付けられたカプラーを着脱自在に取付け可能な形状になっている。この吐出口７は、雄ネジを吐出部５の端部の内周面に刻設された雌ネジ（図示せず）に螺入させて、吐出部５に取付けられる。
【００１５】
また、胴部３の内部には、雄ネジ部９の端面から前方に突出するスピンドル１０の回転によって開閉栓可能な栓機構（図示しない）が設けられている。そして、前記ハンドル１２は、スピンドル１０の端部の外周面に形成されたセレーション１０ａに外嵌した状態で、ハンドル１２の中心の円孔１２ａに挿通されるビス１３をスピンドル１０の端面に刻設された雌ネジ１０ｂに螺入させて、スピンドル１０に固定されるようになっている。尚、円孔１２ａに挿通されたビス１３の頭部を隠すべく、円形のキャップ１４が円孔１２ａに被せられる。
【００１６】
前記取水部１７は、吐出部５の中心線とスピンドル１０の中心線とを含む面から離間した位置に配置されており、取水部１７の中心線が、吐出部５の中心線とスピンドル１０の中心線とを含む面と略平行で且つスピンドル１０の中心線と略直交する関係にある。また、取水部１７の端部には、一端が給水管３９に接続される継手２０の他端が接続されている。
【００１７】
前記継手２０は、図３に示す如く、適宜位置にて屈曲された管体２１と、該管体２１の一端２１ａに遊嵌されて、給水管３９の端部の内周面に刻設された雌ネジ３９ａに螺着される介装体２２と、管体２１の他端２１ｂに遊嵌されて、取水部１７の端部の外周面に刻設された雄ネジ１７ａに螺着されるナット２６とからなる。
【００１８】
前記管体２１は、一端２１ａ側から他端２１ｂ側にかけて、まず約９０度屈曲され、次に同一面に沿って約９０度屈曲され、さらに直交面に沿って約９０度屈曲されたものであり、一本の直管を三箇所屈曲させることで、両端２１ａ，２１ｂの中心線が互いに直交するようにしている。また、その際、管体２１の一端２１ａは、その中心線が吐出部５の中心線とスピンドル１０の中心線とを含む面上に位置するよう設定されている。従って、管体２１の一端２１ａの介装体２２、吐出口７、スピンドル１０は、上下方向に並んで配置された格好となる。
【００１９】
また、前記介装体２２は、管体２１の一端２１ａに固着された筒体２３に外挿されたフランジ体であり、筒体２３の一端の外周面に形成された鍔部２３ａと、筒体２３の他端の外周面に装着された止め環２４とによって、筒体２１の一端２１ａの軸方向に所定範囲でスライド可能となっている。尚、介装体２２の内周面と筒体２３の外周面とのシールを図るべく、筒体２３の外周面に形成された周溝には、二つのＯリング２５，２５が装着されている。
【００２０】
そして、介装体２２は、大径部と小径部の二段形状であり、大径部にはナット２２ａが、小径部には雄ネジ２２ｂが形成されている。この介装体２２を給水管３９に取付けるに際しては、介装体２２の雄ネジ２２ｂを給水管３９の端部の雌ネジ３９ａに螺入させ、しかる後、ナット２２ａにスパナを引っ掛けて強固に締結させる。
【００２１】
一方、前記ナット２６は、管体２１の他端２１ｂの外周面に形成された鍔部２１ｃによって抜け止めがなされており、このナット２６を取水部１７に取付けるに際しては、ナット２６を取水部１７の端部の雄ネジ１７ａに螺入させ、しかる後、ナット２６をスパナで引っ掛けて強固に締結させる。この際、管体２１の他端２１ｂの鍔部２１ｃの端面が、取水部１７の端部の端面と密着するので、かかる部分でのシールが図られる。
【００２２】
図１および図２に戻り、水栓本体２を壁板３７に固定するために、二枚のプレート２８，２８が用いられている。このプレート２８は、一枚の帯板をその両端を残して一段引っ込めた凹形状に形成されている。そして、奥側のプレート２８Ａは、壁板３７に形成された切欠き部３７ｂから壁板３７の裏面側に配置し、一方、手前側のプレート２８Ｂは、壁板３７の表面側に配置し、それぞれの端部で壁板３７の切欠き部３７ｂの周縁を挟み込むようにして取付けられる。
【００２３】
また、奥側のプレート２８Ａの凹部の四隅位置には、雌ネジ２８ａ，…が形成され、一方、手前側のプレート２８Ｂの凹部の四隅位置であって雌ネジ２８ａ，…の対応位置には、貫通孔２８ｂ，…が穿設されている。従って、二枚のプレート２８，２８を取付け位置に配置した後、ビス２９，…をまず貫通孔２８ｂに挿通し、次に雌ネジ２８ａに螺入させることで、二枚のプレート２８，２８を壁板３７に固定することができる。
【００２４】
さらに、水栓本体２の胴部３の両側面には、板状の突片４が胴部３と一体的に形成されており、この突片４に、ビス２９を挿通させるための貫通孔４ａが穿設されている。従って、この貫通孔４ａにビス２９を挿通し、次に手前側のプレート２８Ｂの貫通孔２８ｂに挿通し、さらに奥側のプレート２８Ａの雌ネジ２８ａに螺入させることで、水栓本体２を壁板３７に固定することができる。
【００２５】
しかも、プレート２８は、水栓本体２の胴部３に当たる部分が凹状（壁板３７よりも裏面側）に引っ込んでいるので、水栓本体２は、一部（例えば、スピンドル１０、管体２１の一端２１ａ側、介装体２２）を除き、壁板３７の裏面側に収められた（壁板３７から表面側に飛び出さない）状態で固定される。
【００２６】
また、水栓本体２は、一部を除いて壁板３７の裏面側に収容された状態において、壁板３７に形成された略方形状の切欠き部３７ｂより僅かに大きい、外形線が略方形状をなすカバープレート３３により覆い隠される。すなわち、壁板３７の表面にカバープレート３３が取付けられた状態においては、切欠き部３７ｂ、水栓本体２、継手２０がカバープレート３３に隠された状態となる。
【００２７】
前記カバープレート３３は、壁板３７の板面と略平行で且つ板面よりも僅かに表面側に張り出た平面部３３ａ（カバープレート３３の上半分位置）と、該平面部３３ａよりも僅かに表面側に球面状に張り出た曲面部３３ｂ（カバープレート３３の下半分位置）と、平面部３３ａおよび曲面部３３ｂに跨がって該平面部３３ａより裏面側に引っ込んだ凹部３３ｃ（カバープレート３３の中央位置）とで構成される。
【００２８】
そして、前記凹部３３ｃには、雄ネジ部９およびスピンドル１０を挿通可能な円孔３４が穿設されており、カバープレート３３の裏面側から挿通した雄ネジ部９およびスピンドル１０をカバープレート３３の表面側に臨出させた状態で、カバープレート３３の表面側からナット１５を雄ネジ部９の外径に螺合させることで、カバープレート３３は水栓本体１に固定される。
【００２９】
前記ハンドル１２は、かかる状態でカバープレート３３の表面側に臨出したスピンドル１０に固定される。しかも、スピンドル１０は、カバープレート３３の凹部３３ｃから表面側に臨出しているため、ハンドル１２は、凹部３３ｃに収容され、ハンドル１２の頂部のみがカバープレート３３の平面部３３ａから僅かに突出した状態になる。
【００３０】
また、かかる状態にあっては、吐出口７は、カバープレート３３の凹部３３ｃから表面側に臨出し、且つ、凹部３３ｃに収容され、吐出口７の先端のみがカバープレート３３の平面部３３ａから僅かに突出した状態である。尚、凹部３３ｃには、吐出口７の角度に対応して斜めに突出する環状突起３５が形成されている。この環状突起３５は、その内径が吐出口７の鍔部７ａと略同一か若しくは僅かに大きく形成されており、しかも、カバープレート３３を水栓本体２に取付けた状態で、吐出口７の鍔部７ａと環状突起３５の端面とが略面一になるように設定されている。
【００３１】
また、ハンドル１２がスピンドル１０に固定された状態では、ハンドル１２と吐出口７の壁板３７の突出量が略同一に設定されているので、ハンドル１２の頂部と吐出口７の先端とは、カバープレート３３の平面部３３ａ若しくは壁板３７の板面と平行な面上に位置することとなる。
【００３２】
さらに、カバープレート３３の凹部３３ｃの輪郭は、ハンドル１２および吐出口７を囲む形状となっており、本実施形態では、ハンドル１２および吐出口７が上下方向に並ぶので、凹部３３ｃの輪郭は、縦長の小判形状となっている。
【００３３】
本実施形態に係る水栓器具は、以上の構成からなる。かかる水栓器具では、カバープレート３３の平面部３３ａが壁板３７と略面一となり、ハンドル１２および吐出口７が壁板３７から僅かに突出した状態となる。また、水栓本体２が固定された際に壁板３７から突出する管体２１の一端２１ａ側を収めるための曲面部３３ｂも、さほど大きく表面側に張り出しているわけではない。従って、本実施形態の水栓器具は、壁板３７のフラット感を損なうことはない。
【００３４】
次に、リフォーム時における本実施形態に係る水栓器具の施工方法を図面を参酌しつつ説明する。
【００３５】
まず、図８に示す如く、既設されている従来の水栓器具４０を取り外す。さすれば、壁板３７の板面に穿設された開口部３７ａから給水管３９の端部が顔を覗かせる。この給水管３９は、壁板３７の裏面を下方から板面に沿って配管され、先端が約９０度屈曲されたり若しくは先端にＬ字型の水栓エルボが取付けられて、給水管３９の端部を開口部３７ａに挿入させている。従って、給水管３９の端部が開口部３７ａから壁板３７の表面側に現出する格好となる。
【００３６】
次に、図４に示す如く、壁板３７に切欠き部３７ｂを形成する。この際、切欠き部３７ｂ形成用の専用シートが使用される。この専用シートは、図５に示す如く、開口部３７ａおよび切欠き部３７ｂの輪郭と一致する外形線で構成されたシートである。即ち、専用シート５０の右側端縁５０ａが切欠き部３７ｂの右側端縁に相当し、専用シート５０の左側端縁５０ｂが切欠き部３７ｂの左側端縁に相当し、専用シート５０の上側端縁５０ｃが切欠き部３７ｂの上側端縁に相当し、専用シート５０の下側円弧５０ｄが開口部３７ａの周縁に相当する。
【００３７】
また、専用シート５０の円形部の中心には、給水管３９の端部の中心線と一致する位置に穿孔５０ｅが形成されており、この穿孔５０ｅを中心として放射状に複数の切込み５０ｆ，…が入れられている。
【００３８】
そこで、まず、専用シート５０の穿孔５０ｅを給水管３９の端部の中心に置き、しかる後、切込み５０ｆ，…によって形成された舌片５０ｇ，…を折り込んで給水管３９の端部の内周面に当接させる。これにより、専用シート５０が給水管３９に対して位置決めされる。後は、専用シート５０の外形線を定規替わりにしてカッター等で壁板３７を切り込んでいく。
【００３９】
切欠き部３７ｂが形成されたならば、図６に示す如く、継手２０が接続された水栓本体２、二枚のプレート２８，２８、四本のビス２９，…を用意する。そして、まず、継手２０の一端側に取付けられた介装体２２の雄ネジ２２ｂを給水管３９の端部の雌ネジ３９ａに螺入させて、継手２０（水栓本体２）と給水管３９とを接続した後、二枚のプレート２８，２８を上述のように位置決めして、水栓本体２の固定を行なう。
【００４０】
そして、図７に示す如く、雄ネジ部９、スピンドル１０、吐出口７が壁板３７の表面側に臨出して、水栓本体２が裏面側に収容された状態から、カバープレート３３を取付ける。さらに、カバープレート３３の円孔３４から表面側に臨出した雄ネジ部９にナット１５を螺合させて、水栓本体２（壁板３７）にカバープレート３３を固定する。しかる後、スピンドル１０の端部にハンドル１２を外嵌し、ハンドル１２にビス１３を挿通させてスピンドル１０に螺入させ、ハンドル１２をスピンドル１０に固定する。そして、ハンドル１２の頂部にキャップ１４を被せる。
【００４１】
以上の手順によって、図１に示す外観が得られる。この時、カバープレート３３の凹部３３に斜め下方に突設された環状突起３５と、該環状突起３５の開口を塞ぐ吐出口７の鍔部７ａによって、吐出口７を取付固定する吐出部５が隠され、吐出口７のみが表面側に臨出した状態となる。従って、水栓本体２全体は、カバープレート３３によって隠されて、人目に触れることがなくなるので、鋳肌のままであってもよく、この部分に装飾、研磨、メッキ等を施すことによる製造コストの高騰を好適に押さえることができる。
【００４２】
また、水栓器具１の要素のハンドル１２、吐出口７のみが表面側に臨出して、その他は、カバープレート３３に覆われた状態となるので、デザイン的に優れたものにすることができる。
【００４３】
さらに、吐出口７およびハンドル１２の壁板３７からの突出量が略同一に設定され、且つ、両者の壁板３７からの突出量が少なく設定されているので、壁板３７のフラット感を損なうことなく、室内空間の有効活用を図ることができる。すなわち、上記実施形態の水栓器具１は、壁板３７からの突出がほとんどない構成であるため、洗濯機等の取水装置の背面に水栓器具１が位置する場合であっても、取水装置を壁板３７に接近させて設置することができ、室内空間を有効活用することができる。
【００４４】
また、ハンドル１２が、壁板３７の板面と直交する軸を中心に回転するように配置されているので、ハンドル１２の操作が極めて良好である。
【００４５】
さらに、本実施形態に係る水栓器具は、新築時にも採用可能であるが、上述のリフォーム時においては、既設の給水管３９をそのまま使用することができ、しかも、施工作業のすべてを室内より行なうことができるため、施工作業の簡素化、施工コストの低減を図ることができる。
【００４６】
また、壁板３７に切欠け窓３７ｂを形成する際、専用シート５０を使用することで、正確且つ簡単に作業を行なうことができる。この専用シート５０は、水栓本体２、継手２０を壁板３７の裏面側に収める際に、この水栓本体２、継手２０が壁板３７と干渉することのないような形状をなしているので、水栓本体２、継手２０を他の形態にする場合には、専用シート５０もそれに応じて形状が変更される。
【００４７】
さらに、二枚のプレート２８，２８は、該二枚のプレート２８，２８で壁板３７を挟み込むことにより固定されるので、壁板３７の厚みの種々の寸法に対応することができる。
【００４８】
また、プレート２８に設けられた凹部は、壁板３７の切欠窓３７ｂの幅寸法よりも小さく、且つ、水栓本体２の胴部３の長さ寸法よりも大きく設定されているので、水栓本体２をプレート２８に取付けた際に、該水栓本体２を壁板３７の裏面側に確実に収めることができる。
【００４９】
さらに、継手２０の介装体２２に形成された雄ネジ２２ｂは、給水管３９の端部の内周面に刻設された雌ネジ３９ａと同一ネジ（本実施形態においては、ＰＪ１／２ネジ）を採用しているので、施工の際、給水管３９の雌ネジ３９ａを改めてネジ加工する必要が無くなる。
【００５０】
また、継手２０の介装体２２は、管体２１の軸方向に遊び（伸縮代）を設けているので、給水管３９の端部の位置（壁板３９の表裏方向における給水管３９の端部の位置）に関わらず、好適に施工を行なうことができる。
【００５１】
尚、本発明に係る水栓器具は、上記実施形態に限定されるものではない。
【００５２】
即ち、上記実施形態においては、１ハンドル式の水栓器具について説明したが、冷水および温水の両方を扱う場合には、２ハンドル式の水栓器具であってもよい。
【００５３】
また、壁板３７の裏面側の奥行き寸法が許すならば、ハンドル１２、吐出口７をも壁板３７の裏面側に収容する場合も考えられる。かかる場合、カバープレート３３の凹部３３ｃの深さをより深くして、ハンドル１２の頂部と吐出口７の先端とが、壁板３７の板面と略面一になる配置が好ましい。
【００５４】
逆に、カバープレート３３に凹部３３ｃを形成することなく、平面状のカバープレート３３であってもよい。かかる場合であっても、水栓本体２は表面側に突出することなく、ハンドル１２および吐出口７のみが表面側に臨出するものであるため、上記実施形態と同様、室内空間を有効活用することができる。
【００５５】
さらに、カバープレート３３の凹部３３ｃの形状及び寸法、ハンドル１２の大きさ、吐出口７の傾斜角度は適宜設計変更可能であり、上記実施形態のものに限定されない。吐出口７は、ホースのカプラーを取付けるものに限定されず、ホース等をそのまま差し込むようにしてもよい。
【００５６】
また、給水管３９と水栓本体２とを繋ぐ継手２０は、上記実施形態の如く、硬質のものに限定されず、例えば、ビニールホース、フレキシブルチューブ、樹脂管等の変形可能なものであってもよく、また、継手２０と水栓本体２とを一体的に構成したものであってもよい。
【００５７】
さらに、外装部材としては、壁板３７に限定されず、床板であってもよい。
【００５８】
また、『外装部材の裏面側に配された給水管３９の端部が外装部材の表面側に現出する』とは、外装部材の表面側から水栓本体２を給水管３９の端部に接続することができるという趣旨である。
【００５９】
【発明の効果】
以上の如く、本発明に係る水栓器具の施工方法は、水栓本体の少なくとも一部が外装部材の裏面側に位置する、すなわち、水栓本体が外装部材の裏面側に押し込まれた態様となるので、吐出口やハンドルの外装部材からの突出量を押さえて、室内空間の有効活用を図ることができる。その上、既設の給水管をそのまま利用することができると共に、室内から施工作業を行なうことができるので、リフォームの際の施工を簡単に行なうことができる。
【図面の簡単な説明】
【図１】本発明の一実施形態を示す水栓器具の外観斜視図。
【図２】同実施形態の分解斜視図。
【図３】同実施形態の継手の一部断面を含む底面図。
【図４】壁板に切欠き部を形成した状態の外観斜視図。
【図５】切欠き部の形成に使用される専用シートの平面図。
【図６】水栓本体等を取付ける状態の外観斜視図。
【図７】カバープレートを取付ける状態の外観斜視図。
【図８】従来の水栓器具を取り外した状態の外観斜視図。
【符号の説明】
１…水栓器具、２…水栓本体、７…吐出口、１２…ハンドル、２０…継手、２２…介装体、２８…プレート、３３…カバープレート、３７…壁板（外装部材）、３７ａ…開口部、３７ｂ…切欠き部、３９…給水管、４０…従来の水栓器具、５０…専用シート
【図１】
0003689892.tif 000002
【図２】
0003689892.tif 000003
【図３】
0003689892.tif 000004
【図４】
0003689892.tif 000005
【図５】
0003689892.tif 000006
【図６】
0003689892.tif 000007
【図７】
0003689892.tif 000008
【図８】
0003689892.tif 000009